(57)【要約】【課題】  電気温水器でも一番大きな容量を有する貯湯タンクを変形して、メンテナンスを容易に実施できるキッチン設備、洗濯スペース、洗面所、浴室、トイレ等の水まわり部分又は非構造間仕切り壁といった細切れの未利用空間に電気温水器の貯湯タンクを設置する。【解決手段】  電気料金の安い深夜電力を利用して加熱装置１０で沸かした湯を貯蔵する貯湯タンク２を、住宅内に配置する貯湯式電気温水器の配置構造であって、薄型かつ扁平形状に形成した複数のタンクユニット６を連結した貯湯タンク２を、鉄筋コンクリート造の集合住宅における、細切れの未使用空間たるキッチン設備３のキッチンカウンター４の下壁５内又は非構造間仕切り壁２１内に配置した。【選択図】  図２
2005257088.tif 000002
【特許請求の範囲】
【請求項１】
電気料金の安い深夜電力を利用して加熱装置（１０）で沸かした湯を貯蔵する貯湯タンク（２）を、住宅内に配置する貯湯式電気温水器の配置構造であって、
薄型かつ扁平形状に形成した複数のタンクユニット（６）を連結した貯湯タンク（２）を、前記住宅におけるキッチン設備（３）のキッチンカウンター（４）の下壁（５）内に配置した、ことを特徴とする貯湯式電気温水器の配置構造。
【請求項２】
前記貯湯タンク（２）は、複数本の略円筒形状を並列するように形成した凹凸壁面（６ａ）と、この略円筒形状の凹凸壁面（６ａ）と直交する円筒形状を配置するように形成した凹凸壁面（６ｂ）と、加熱装置（１０）を設けたタンクユニット（６）とから成るものである、ことを特徴とする請求項１の貯湯式電気温水器の配置構造。
【請求項３】
電気料金の安い深夜電力を利用して加熱装置（１０）で沸かした湯を貯蔵する貯湯タンク（２）を、住宅内に配置する貯湯式電気温水器の配置構造であって、
薄型かつ扁平形状に形成した複数のタンクユニット（６）を連結した貯湯タンク（３）を、鉄筋コンクリート造の集合住宅における非構造間仕切り壁（２１）内に配置した、ことを特徴とする貯湯式電気温水器の配置構造。
【請求項４】
前記貯湯タンク（２）は、複数本の略円筒形状を並列するように形成した凹凸壁面（６ａ）と、この略円筒形状の凹凸壁面（６ａ）と直交する円筒形状を配置するように形成した凹凸壁面（６ｂ）と、加熱装置（１０）を設けたタンクユニット（６）とから成るものである、ことを特徴とする請求項３の貯湯式電気温水器の配置構造。
【請求項５】
前記非構造間仕切り壁（２１）は、浴室、洗面所、トイレ等の水回り設備近くの間仕切り壁である、ことを特徴とする請求項３の貯湯式電気温水器の配置構造。
【請求項６】
前記タンクユニット（６）の少なくとも1機を、前記水回り設備近くに配置する、ことを特徴とする請求項４の貯湯式電気温水器の配置構造。
【発明の詳細な説明】
【技術分野】
【０００１】
本発明は、主に集合住宅に設置される電気温水器に係り、特に貯湯タンクを有する貯湯式電気温水器の配置構造に関するものである。
【背景技術】
【０００２】
従来の電気温水器は、加熱装置となるニクロム線を銅管に収め、またはニクロム線と銅管の間にアルミナのような熱の伝導体を詰めたものを用い、堅牢な鋼板製の貯湯タンクの中に装置したものである。その給湯温度は、サーモスタットにより一定に維持するようになっている。
【０００３】
この電気温水器は、電気料金の安い夜間（深夜）電力を利用して沸かした温水を貯湯タンクに貯蔵しておき、昼間から夜間にかけてその温水を使用するものである。このような電気温水器は住宅用に多く使用されている。昼間電力用の加熱装置を具備していないものは、その貯湯タンクの貯湯量は、1日の給湯使用量に設定する必要がある。
【０００４】
そこで、戸建住宅では電気温水器を屋外に設置し、配管によりキッチン設備や浴室へ供給するようになっている。また、マンションやアパート等の集合住宅では、加熱装置で沸かした湯が加熱配管等から熱損失することを考慮して、浴室とキッチン設備に近い場所に設置することが多かった。この電気温水器を設置するためには、約１ｍ2程度のまとまった設置スペースが必要である。
【０００５】
なお、電気温水器を住宅内の所定の設備内に設置する先行技術としては、特許文献１の特開２００２−３６０４５６公報に示すように、洗面化粧台のキャビネット内に電気温水器を設置する構造が提案されている。
【０００６】
【特許文献１】２００２−３６０４５６
【発明の開示】
【発明が解決しようとする課題】
【０００７】
マンションやアパート等の集合住宅においては、狭い空間に種々の設備を収める必要があるために、これらの電気温水器を設置するための空間を確保しにくいという問題を有していた。一方、高齢化社会への移行により、戸建住宅は勿論のことマンションやアパート等の集合住宅でも「裸火」を使わず火事の危険性が極端に低い電気調理器（ＩＨ調理器等）をキッチン設備に設置するようになってきた。同様に温水器もガスではなく電気温水器を使用する傾向にある。そこで、狭い空間しかない集合住宅でも電気温水器を設置したいという要請が高くなってきた。
【０００８】
しかし、集合住宅における未使用の空間とはいえ、電気温水器の給排水管をその集合住宅内に巡らす構造では、漏水や故障の早期発見が遅れて住宅内の腐れを招くことがある。その漏水が建物の構造体に達しているとその構造体が損壊又は脆弱化するという問題を有していた。
【０００９】
本発明は、かかる問題点を解決するために創案されたものである。すなわち、本発明の目的は、電気温水器でも一番大きな容量を有する貯湯タンクを変形して、メンテナンスを容易に実施できるキッチン設備、洗濯スペース、洗面所、浴室、トイレ等の水まわり部分又は非構造間仕切り壁といった細切れの未利用空間に電気温水器の貯湯タンクを設置することができる貯湯式電気温水器の配置構造を提供することにある。
【課題を解決するための手段】
【００１０】
本発明によれば、電気料金の安い深夜電力を利用して加熱装置（１０）で沸かした湯を貯蔵する貯湯タンク（２）を、住宅内に配置する貯湯式電気温水器の配置構造であって、  薄型かつ扁平形状に形成した複数のタンクユニット（６）を連結した貯湯タンク（２）を、前記住宅におけるキッチン設備（３）のキッチンカウンター（４）の下壁（５）内に配置した、ことを特徴とする貯湯式電気温水器の配置構造が提供される。
前記貯湯タンク（２）は、複数本の略円筒形状を並列するように形成した凹凸壁面（６ａ）と、この略円筒形状の凹凸壁面（６ａ）と直交する円筒形状を配置するように形成した凹凸壁面（６ｂ）と、加熱装置（１０）を設けたタンクユニット（６）とから成るものである。
【００１１】
電気料金の安い深夜電力を利用して加熱装置（１０）で沸かした湯を貯蔵する貯湯タンク（２）を、住宅内に配置する貯湯式電気温水器の配置構造であって、薄型かつ扁平形状に形成した複数のタンクユニット（６）を連結した貯湯タンク（３）を、鉄筋コンクリート造の集合住宅における非構造間仕切り壁（２１）内に配置したものである。
前記貯湯タンク（２）は、複数本の略円筒形状を並列するように形成した凹凸壁面（６ａ）と、この略円筒形状の凹凸壁面（６ａ）と直交する円筒形状を配置するように形成した凹凸壁面（６ｂ）と、加熱装置（１０）を設けたタンクユニット（６）とから成るものである。
【００１２】
前記非構造間仕切り壁（２１）は、浴室、洗面所、トイレ等の水回り設備近くの間仕切り壁である。前記タンクユニット（６）の少なくとも1機を、前記水回り設備近くに配置する、ことが好ましい。
【発明の効果】
【００１３】
上記構成の発明では、貯湯式の電気温水器（１）の貯湯タンク（２）を構成するタンクユニット（６）を、扁平形状にして建物の細切れの未利用の空間であるキッチン設備（３）のキッチンカウンター（４）の下壁（５）や非構造間仕切り壁（２１）内に設置することにより、従来のように電気温水器（１）の設置に必要であった約１ｍ2程度の設置スペースが不要になった。タンクユニット（６）を、扁平形状に形成し、かつ複数のタンクユニット（６）を連結し得るように構成することにより、それを設置する場所に応じて形状を容易に変形して集合住宅内の細切れの未利用の空間に格納することができる。
【００１４】
特に、電気温水器（１）の配置場所とキッチン設備（３）、浴室等の水回り設備との距離が近いので、冷たい水が配管中に少量しか滞留せず、温水を利用するときに蛇口をひねれば直ぐに温水を出すことができる。そこで、温水が出るまで蛇口を開けて無駄に水を流すことがなくなる。
【００１５】
一方、冬季では複数にタンクユニット化した電気温水器（１）の全部の貯湯タンク（２）、タンクユニット（６）に温水を貯蔵して使用するが、温水の使用量が冬季に比べて減少する夏季では、複数のタンクユニット（６）の一部のみを使用することができるので、熱損失を低減することができる。
【発明を実施するための最良の形態】
【００１６】
本発明は、昼間から夜間にかけて使用する湯を安価に供給するために、電気料金の安い深夜電力を利用して加熱装置で沸かした湯を貯蔵する貯湯タンクを、住宅内に配置する貯湯式電気温水器の配置構造である。本発明の電気温水器は薄型かつ扁平形状に形成した複数のタンクユニットを連結した貯湯タンクから成り、この電気温水器を鉄筋コンクリート造の集合住宅におけるキッチン設備のキッチンカウンターの下壁又は非構造の間仕切り壁内に配置したものである。
【実施例１】
【００１７】
以下、本発明の好ましい実施の形態を図面を参照して説明する。
図１は本発明の実施例１の貯湯式電気温水器の配置構造を示すものであり、電気温水器を配置するキッチンカウンターを備えたキッチン設備を示す斜視図である。図２は電気温水器をキッチンカウンターの下壁内に配置した状態の断面図である。
本発明の電気温水器１は、集合住宅等における建物内設備にあらわれる細切れの未利用の空間に配置するものである。図示例は、貯湯タンク２をキッチン設備３のキッチンカウンター４の下壁５内に設置したものである。電気温水器１を構成する貯湯タンク２は、横方向又は縦方向の何れにも並列して配置できるように、複数に分割したタンクユニット６を連結し得るようしたものである。
【００１８】
図示例のキッチン設備３は、ダイニングやリビング等の居住空間の連続して配設されるキッチンカウンター４と、このキッチンカウンター４に連続してキッチン設備３を構成するシンク７とコンロ８を有している。このキッチンカウンター４とシンク７とは同じ高さになっているが（図２参照）、シンク７とコンロ８はキッチンカウンター４より低く形成したものでもよい。
【００１９】
更に、キッチンカウンター４に連続してシンク７に隣接する調理作業のできるワークトップとしての領域が形成されている。キッチンカウンター４の上方には、鍋、調理道具又は食器等を収納するユーティリテースペースとしての収納棚や収納キャビネット等になっている。同様に、キッチンカウンター４の下方も鍋、調理道具又は食器等を収納する収納ペースとしての収納棚や収納キャビネット等になっている。本発明では、このような単に収納スペースとしてのみ使用していた場所、あるいは文字通りカウンターとしてのみ使用していたスペースに電気温水器１の貯湯タンク２を配置して、空間を有効に使用するものである。キッチンカウンター４の下壁５における横長の薄い空間にタンクユニット６を横に並べて設置した。しかも、この空間は電気温水器１のメンテナンスが容易に実施できる場所でもある。
【００２０】
また、このように本発明では、電気温水器１の貯湯タンク２をキッチン設備、洗濯スペース、洗面所、浴室、トイレ等の水まわり設備に集中して配置することにより、給排水管を住宅内のあちらこちらに巡らさないようになっている。これにより、漏水や故障の早期発見が容易になり、漏水が構造体に達することを未然に防止することができる。
【００２１】
図３はキッチンカウンターの下壁内に２個並列したタンクユニットの正面図である。
キッチンカウンター４の下壁５内に配置するタンクユニット６は、例えば１２０リットル程度の温水を貯蔵できるように、全体を薄型の扁平形状に形成し、その周囲に断熱材９を貼り付けたものである。このタンクユニット６は、ステンレスのプレス成型や合成樹脂製のブロー成型により製造する。ブロー成型では例えば、ＰＰＥ（ポリフェノールエチレン）等の合成樹脂材を用いる。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００２２】
タンクユニット６の壁面は、複数本の略円筒形状を並列するように形成した凹凸壁面６ａと、この略円筒形状の凹凸壁面６ａと直交する円筒形状を配置するように形成した凹凸壁面６ｂとを両面に具備したものである。このようにタンクユニット６の両面に凹凸壁面６ａ，６ｂを形成することにより、タンクユニット６の壁面を薄くしても必要量の耐圧性を有するようになっている。また、タンクユニット６は、その軽量化を図るだけでなく、設計上の自由度を高めることができるので、建物内における細切れの未利用の空間に容易に格納しやすくなる。
【００２３】
このように略水平方向に配置した円筒形状の凹凸壁面６ｂを、略垂直方向の凹凸壁面６ａ中間にも配置したのは、タンクの容積を大きくすると共に、冷水と温水の境界面を平準化するためである。
【００２４】
タンクユニット６は、上述した略円筒形状の凹凸壁面６ａ，６ｂの周囲に真空断熱材等の断熱材９で包み込んだものである。この断熱材９は、１３時間放置後の温度低下が２０度未満を満足する程度の素材が必要である。タンクユニット６の内部には、電気料金の安い夜間電力を利用して湯を沸かすための加熱装置１０と、湯温センサ、過昇防止サーモを配置してある。なお、タンクユニット６の内部構造は、加熱装置１０、湯温センサや過昇防止サーモ等を具備し、略円筒形状の凹凸壁面６ａ，６ｂから成り、その機械的強度を高めた形状のものであれば、図示例の構造に限定されない。複数のタンクユニット６は、図示したように横方向に連結する必要はなく、キッチンカウンター４の形状又はタンクユニット６の形状に応じて縦方向に配置することも可能である。
【００２５】
また、タンクユニット６は常に全部を稼働させる必要はなく、冬季では複数のタンクユニット６の全部に温水を貯蔵して使用するが、温水の使用量が冬季に比べて減少する夏季では、複数のタンクユニット６の一部のみを使用することにより、熱損失を低減させ、熱エネルギーの利用効率を高める。
【００２６】
また、このようにキッチンカウンター４の下壁５内に貯湯タンク２を設置したので、冬季にあっては、断熱材９の厚みを薄くして、キッチンカウンター４の周辺やキッチン設備３の周辺の暖房に利用することも可能である。本発明では、基本的に貯湯タンク２（タンクユニット６）を非構造物に配置するものであり、そのメンテナンスが容易に実施できるために断熱材９を容易に交換できる。そこで、冬季には足元が寒くなるキッチン設備３自体を暖房することに貯湯タンク２（タンクユニット６）を利用することができる。このように貯湯タンク２（タンクユニット６）を暖房装置としても利用するときは、キッチンカウンター４の下壁５には熱交換しやすいように、スリット（図示していない）を設けることが好ましい。
【実施例２】
【００２７】
図４は実施例２の電気温水器を配置する集合住宅の間取り図である。図５は実施例２の電気温水器を非構造間仕切り壁内に配置した状態の平断面図である。
実施例２では、鉄筋コンクリート造の集合住宅における非構造間仕切り壁２１内に貯湯タンク３を配置したものである。鉄筋コンクリート造の集合住宅は、図４に示すように、４隅に位置する４本の構造柱２２間に南北に隣家との境を仕切るように構造壁２３が設けられている。住宅の北側には共用廊下２４が設けてあり、南側にはバルコニー２５が設けられている。住宅の共用廊下２４に面する部分及びバルコニー２５に面する部分はいずれも躯体壁と開口とを組み合わせてなる非構造壁によって構築されている。
【００２８】
実施例２では、鉄筋コンクリート造の集合住宅における構造体２２，２３ではなく非構造間仕切り壁２１内に、上述したような薄型かつ扁平形状に形成した複数のタンクユニット６を連結した貯湯タンク３から成る電気温水器１を配置した。但し、建物内における浴室、洗濯スペース、洗面所、トイレ等の水回り設備近くの間仕切り壁２１内に配置した。このように、タンクユニット６の少なくとも1機を、水回り設備の近くに配置することで、蛇口と貯湯タンク２（タンクユニット６）を近づけることができる。これにより、冷たい水が配管中に少量しか滞留していないので、温水を利用するときに蛇口をひねると、その蛇口から直ぐに温水を出すことができる。
【００２９】
非構造間仕切り壁内に配置する複数のタンクユニット６は、原則として浴室、洗濯スペース、洗面所、トイレ等の水回り設備の近くに配置することが望ましく、図４のトイレに隣接する壁面又は洗面所に隣接する壁面がある。しかし、これらの壁面に収納家具や構造壁面がありメンテナンス上の支障があるときはその近くの傍の壁面にタンクユニット６を配置することが望ましい。例えば、居室の壁面に限らず押入れ内にもタンクユニットを配置することができる。特に、押入れ内では外部に凸凹面が生じないという特徴がある。
【００３０】
また、このように間仕切り壁２１内に貯湯タンク２を設置したので、実施例１と同様に冬季にあっては、断熱材９の厚みを薄くして、間仕切り壁２１に囲まれた居室と廊下の暖房に利用することも可能である。このように貯湯タンク２（タンクユニット６）を暖房機としても利用するときは、間仕切り壁２１には熱交換しやすいように、スリット（図示していない）を設けることが好ましい。
【００３１】
間仕切り壁２１内に貯湯タンク２（タンクユニット６）を設置するときは、横方向に連結する必要はなく、縦方向に並列させるように配置することも可能である。また、押入れ内に配置するときも縦方向に連結することが可能である。
【００３２】
なお、本発明は、電気温水器１における主に貯湯タンク２（タンクユニット６）を、集合住宅等の建物の細切れの未利用空間に設置できる構成であれば、上述した発明の実施の形態に限定されず、本発明の要旨を逸脱しない範囲で種々変更できることは勿論である。
【産業上の利用可能性】
【００３３】
本発明の貯湯式電気温水器の配置構造は、主に鉄筋コンクリート造の集合住宅に利用することができるが、狭小な戸建住宅やエネルギー効率を高めたい戸建住宅などにも利用することができる。
【図面の簡単な説明】
【００３４】
【図１】本発明の実施例１の貯湯式電気温水器の配置構造を示すものであり、電気温水器を配置するキッチンカウンターを備えたキッチン設備を示す斜視図である。
【図２】電気温水器をキッチンカウンターの下壁内に配置した状態の断面図である。
【図３】キッチンカウンターの下壁内に２個並列したタンクユニットの正面図である。
【図４】実施例２の電気温水器を配置する集合住宅の間取り図である。
【図５】実施例２の電気温水器を非構造間仕切り壁内に配置した状態の平断面図である。
【符号の説明】
【００３５】
１  貯湯式電気温水器
２  貯湯タンク
３  キッチン設備
４  キッチンカウンター
５  下壁
６  タンクユニット
６ａ，６ｂ  凹凸壁面
１０  加熱装置
２１  非構造間仕切り壁
【図１】
2005257088.tif 000003
【図２】
2005257088.tif 000004
【図３】
2005257088.tif 000005
【図４】
2005257088.tif 000006
【図５】
2005257088.tif 000007